(57)【要約】【課題】移動を容易迅速に行えるアイロン台を提供する点にある。【解決手段】衣類を載置してアイロン掛けを行うための台本体と、この台本体の裏面に下端が台本体の裏面に接近して折り畳まれた折り畳み姿勢と下端が台本体の裏面から遠ざかった使用姿勢とに姿勢変更可能に備えた支持脚と、台本体にこれよりも側方に突出位置した使用位置と台本体の裏面にほぼ引退した収納位置とにスライド移動自在に取り付けられたアイロン置き台９とからなり、アイロン置き台９の先端に取っ手１２を取り付けたことを特徴とする。【選択図】  図１
2005034217.tif 000002
【特許請求の範囲】
【請求項１】
衣類を載置してアイロン掛けを行うための台本体と、この台本体の裏面に下端が該台本体の裏面に接近して折り畳まれた折り畳み姿勢と該下端が台本体の裏面から遠ざかった使用姿勢とに姿勢変更可能に備えた支持脚と、前記台本体にこれよりも側方に突出位置した使用位置と該台本体の裏面にほぼ引退した収納位置とにスライド移動自在に取り付けられたアイロン置き台とからなり、前記アイロン置き台の先端に取っ手を取り付けたことを特徴とするアイロン台。
【請求項２】
前記支持脚の折り畳み姿勢において前記台本体の裏面の前記取っ手のスライド方向両端部のうちの、該取っ手側とは反対側に位置する端部から支持脚の接地部の一部又は全部が台本体から側方に突出位置するように該接地部を構成し、前記台本体をそれの表面が上下方向となる縦向き姿勢にしたときに床面に接地するように該接地部を構成してなる請求項１記載のアイロン台。
【請求項３】
前記支持脚の折り畳み姿勢において前記台本体の裏面のうちの前記取っ手のスライド方向両端部に該一対の脚体の接地部がそれぞれ位置する状態となり、前記取っ手側とは反対側に位置する接地部の一部又は全部が台本体から側方に突出位置して台本体をそれの表面が上下方向となる縦向き姿勢にしたときに床面に接地するように該接地部を構成してなる請求項１記載のアイロン台。
【請求項４】
前記折り畳み姿勢の支持脚の使用姿勢への姿勢変更を前記収納位置に移動したアイロン置き台にて接当阻止可能に該アイロン置き台を配置してなる請求項１〜３のいずれかに記載のアイロン台。
【請求項５】
前記台本体をメッシュ状のものから構成し、この台本体の裏面に該台本体の一端から他端に渡る長さを有する一対の補強部材を取り付け、これら一対の補強部材に前記アイロン置き台をスライド自在に支持するための支持部材を取り付けてなる請求項１〜４のいずれかに記載のアイロン台。
【請求項６】
前記アイロン置き台を収納位置にて固定するための解除自在な固定手段を設けてなる請求項１〜５のいずれかに記載のアイロン台。
【請求項７】
前記固定手段が、前記取っ手に備えた突起部と、この突起部に係止する係止孔とからなり、前記係止孔が、前記支持部材に取り付けられた部材に形成されてなる請求項６記載のアイロン台。
【請求項８】
前記取っ手側に位置する接地部の一部又は全部が前記台本体の裏面側に形成された凹部内に入り込むように該接地部を構成してなる請求項３記載のアイロン台。
【発明の詳細な説明】
【０００１】
【発明の属する技術分野】
本発明は、衣類を載置してアイロン掛けを行う台本体と、この台本体の裏面に折り畳み可能に設けた支持脚と、アイロンを置くことができるアイロン置き台とを備えてなるアイロン台に関する。
【０００２】
【従来の技術】
上記アイロン台は、運搬し易いように、あるいは非使用時の収納スペースを大きく取ることがないように、支持脚を台本体の裏面に折り畳むことができるようにしている。又、例えばアイロン作業中にアイロンを一旦置くことができるようにアイロン置き台を台本体に対して折り畳み自在に設けたものも提案されている（例えば特許文献１参照）。
【０００３】
【特許文献１】
登録実用新案第３０１８１４２号公報（図２、図５参照）
【０００４】
【発明が解決しようとする課題】
上記構成のアイロン台には、取っ手などが取り付けられているものが無く、収納している場所からアイロンを移動させてアイロン掛けを行う場合やアイロン掛けが終了して収納場所までアイロン台を移動させるときには、特に大型のアイロン台や重量のあるアイロン台である場合においては、両手で慎重に掴んで移動させなければならず、アイロン台の移動が煩わしいものになっていた。
又、アイロン台を収納させる場所として、例えばアイロン台の長手方向が上下方向を向いた縦向きの状態で入り込ませることができる隙間を有する場所である場合に、隙間に収納されているアイロン台を一旦隙間から出した後、掴み直してからアイロン台を移動させることになり、移動が手間のかかるものであった。
【０００５】
本発明が前述の状況に鑑み、解決しようとするところは、移動を容易迅速に行えるアイロン台を提供する点にある。
【０００６】
【課題を解決するための手段】
本発明のアイロン台は、前述の課題解決のために、衣類を載置してアイロン掛けを行うための台本体と、この台本体の裏面に下端が該台本体の裏面に接近して折り畳まれた折り畳み姿勢と該下端が台本体の裏面から遠ざかった使用姿勢とに姿勢変更可能に備えた支持脚と、前記台本体にこれよりも側方に突出位置した使用位置と該台本体の裏面にほぼ引退した収納位置とにスライド移動自在に取り付けられたアイロン置き台とからなり、前記アイロン置き台の先端（台本体から離間する側の端）に取っ手を取り付けたことを特徴としている。
従って、アイロン台を移動させる場合には、片手で取っ手を持つだけでどこへでも移動させることができる状態になる。そして、アイロン台を移動させてアイロン掛けを行う場合には、支持脚を折り畳み姿勢から使用姿勢にしてアイロン台を床面にセットしてから、取っ手を持ってアイロン置き台をスライド方向に引っ張り移動させて、アイロン置き台を収納位置からアイロンを置くことができる使用位置に位置変更させることができる（図２及び図４参照）。そして、アイロン掛けが終了した後、アイロン台を収納する場合には、取っ手をアイロン台側へ押し込み移動させてアイロン置き台を使用位置から収納位置に位置変更させてから、支持脚を使用姿勢から折り畳み姿勢に姿勢変更させた後、取っ手を持ってアイロン台を収納場所まで移動させることができる。
【０００７】
前記支持脚の折り畳み姿勢において前記台本体の裏面の前記取っ手のスライド方向両端部のうちの、該取っ手側とは反対側に位置する端部から支持脚の接地部の一部又は全部が台本体から側方に突出位置するように該接地部を構成し、前記台本体をそれの表面が上下方向となる縦向き姿勢にしたときに床面に接地するように該接地部を構成してもよいし、又、前記支持脚が一対の脚体からなり、一方の脚体の一端を前記台本体に枢支すると共に、それら一対の脚体の長手方向中間部同士を枢支連結してなり、前記一対の脚体の折り畳み姿勢において前記台本体の裏面のうちの前記取っ手のスライド方向両端部に該一対の脚体の接地部がそれぞれ位置する状態となり、前記取っ手側とは反対側に位置する接地部の一部又は全部が台本体から側方に突出位置して台本体をそれの表面が上下方向となる縦向き姿勢にしたときに床面に接地するように該接地部を構成している。
取っ手側とは反対側に位置する支持脚又は脚体の接地部が、台本体から側方に突出位置しているため、台本体をそれの衣類載置面方向が上下方向となる縦向きでアイロン台を収納する場合に、該他方の支持脚又は脚体の接地部が床面に接地することで、台本体の外周縁が床面に接触して汚れてしまうなどのトラブル発生がない。
【０００８】
前記折り畳み姿勢の支持脚の使用姿勢への姿勢変更を前記収納位置に移動したアイロン置き台にて接当阻止可能に該アイロン置き台を配置することによって、アイロン置き台を収納位置に移動させるだけで支持脚を折り畳み姿勢に固定することができる。
【０００９】
前記台本体をメッシュ状のものから構成し、この台本体の裏面に該台本体の一端から他端に渡る長さを有する一対の補強部材を取り付け、これら一対の補強部材に前記アイロン置き台をスライド自在に支持するための支持部材を取り付けている。
台本体の補強を目的として本来的に備えさせる一対の補強部材を支持部材を取り付けるための取付部材として利用することができる。
【００１０】
前記アイロン置き台を収納位置にて固定するための解除自在な固定手段を設けることによって、アイロン置き台を収納位置に確実に固定した状態で移動させることができる。
【００１１】
前記固定手段が、前記取っ手に備えた突起部と、この突起部に係止する係止孔とからなり、前記係止孔が、前記支持部材に取り付けられた部材に形成されている。
【００１２】
前記取っ手側に位置する接地部の一部又は全部が前記台本体の裏面側に形成された凹部内に入り込むように該接地部を構成することによって、取っ手を持ってアイロン台を移動させているときに脚体の接地部が他物に接当することを抑制することができる。
【００１３】
【発明の実施の形態】
図１（ａ），（ｂ）、図２及び図３に、衣類やハンカチなどのアイロン掛け対象物をアイロン掛けするためのアイロン台が示されている。このアイロン台は、それの長手方向一端（以下、こちらの端を先端とする）が半円形となる平面視ほぼ舟形状に形成されると共に断面形状が丸型で金属製の環状フレーム１の上面に斜め上方に立ち上げてから水平方向に沿うように形成されたメッシュ状で金属製（合成樹脂製又は木製でもよい）の本体部２を備えた台本体３と、この台本体３に被せられ、かつ、内面に綿等からなるクッション材４を備えた布カバー５と、前記本体部２の上部内面にそれの長手方向一端から他端に渡る長さに形成されると共に溶接により固定された左右一対の金属製の補強部材６，６と、前記台本体３の裏面に下端が該台本体３の裏面に接近して折り畳まれた折り畳み姿勢と該下端が台本体３の裏面から遠ざかった使用姿勢とに姿勢変更可能に備えた一対の金属製の脚体７，８からなる支持脚とを主要構成部材としている。前記台本体３を舟形に構成する他、円形、楕円形、菱形、正方形、長方形、台形等に形成してもよく、台本体３の形状は、これらのものに限定されるものではない。前記台本体３の長手方向を前後方向とし、長手方向と直交する方向を左右方向として説明する。ここでは、一対の脚体７，８から支持脚を構成しているが、３本以上の脚体から支持脚を構成してもよいし、又、１本の脚体から支持脚を構成することによって、更に部材点数の削減化を図ることができるようにしてもよく、支持脚の本数及び形状はどのように設定してもよい。
【００１４】
前記補強部材６，６は、下方が開放されたほぼコの字形状に形成されている。前記台本体３をメッシュ状に形成された本体部２を備えさせることにより、衣類に吹き付けられる蒸気を下方に抜け易くすることができる利点があるが、板状のものであってもよい。
【００１５】
図１〜図５に示すように、前記台本体３の先端とは反対側の端、つまり基端に、アイロン台の使用状態において台本体３の衣類載置面よりも水平方向横側方に突出位置した使用姿勢（図１（ｂ）、図２、図４参照）と台本体３の裏面にほぼ全体が引退した収納位置（図１（ａ）、図３参照）とにスライド移動自在にアイロン置き台９を取り付けている。
【００１６】
前記アイロン置き台９は、断面形状がほぼ円形で金属製の線材からなり、スライド方向にほぼ平行に延びる一対のアイロン受け部９Ａ，９Ａと、これらアイロン受け部９Ａ，９Ａの先端同士を連結する連結部（図示せず）とからなる平面視においてほぼコの字状（他の形状でもよい）に形成されている。このようにアイロン置き台９を線材（耐熱性のものであれば、合成樹脂などから構成することもできる）から構成することによって、軽量化とコストの低減化とを図ることができる利点があるが、耐熱性を有する材料（金属や合成樹脂など）からなる平板状のものであってもよい。尚、図に示す９Ｂは、前記連結部よりも遊端部側に位置すると共にアイロン受け部９Ａ，９Ａ間に上方に突出した状態で架設されてアイロン置き台９上に載置されるアイロンＲ（図２参照）が連結部側へ移動することを接当阻止するための棒状の移動阻止部材であり、又、９Ｃは、アイロン受け部９Ａ，９Ａの両端にアイロン台の左右幅方向に折り曲げられてアイロン置き台９の最大スライド位置を規制するための抜け止め部である。そして、前記アイロン置き台９をスライド自在に支持するための支持部材１０を前記補強部材６，６の基端部と前記フレーム１とに渡って溶接された金属製の棒状部材１１間に架け渡した状態で溶接している。前記支持部材１０は、金属製の平板の長手方向両端をそれぞれほぼ１８０度折り曲げて前記アイロン置き台９のアイロン受け部９Ａ，９Ａを保持することができるように構成されている。又、前記棒状部材１１は、図３及び図５に示すように、前記補強部材６，６の上壁部裏面に溶接された水平脚部１１Ａ，１１Ａと、これら水平脚部１１Ａ，１１Ａから９０度折り曲げられてアイロン台よりも下方に延びる縦部１１Ｂ，１１Ｂと、これら縦部１１Ｂ，１１Ｂの下端から水平方向に伸びると共に前記支持部材１０が溶接される水平部１１Ｃ，１１Ｃと、これら水平部１１Ｃ，１１Ｃのフレーム側端部から下方に折れ曲がってから水平方向に伸びる折れ曲がり部１１Ｄ，１１Ｄと、これら折れ曲がり部１１Ｄ，１１Ｄのフレーム側端部同士を連結すると共に前記フレーム１に溶接される連結部１１Ｅとからなっているが、図に示される形状以外であってもよい。
【００１７】
前記アイロン置き台９の台本体３から離間する側の端部、つまりアイロン置き台９の先端同士を連結する連結部に平面視においてアイロン台の外周縁に対してほぼ連続する外周縁を有する大型の取っ手１２を取り付けている。この取っ手１２は、上下一対のほぼ三日月形状（どのような形状でもよい）の合成樹脂製（木や金属などでもよい）の部材１２Ａ，１２Ｂからなり、前記アイロン置き台９の連結部を部材１２Ａ，１２Ｂにて上下方向から挟み込んだ状態で部材１２Ａ，１２Ｂをビスにより連結することにより、アイロン置き台９に取っ手１２を取り付けることができるようにしている。前記アイロン置き台９をインサート成形により取っ手１２に備えさせてもよいし、アイロン置き台９と取っ手１２とを一体成形してもよい。従って、取っ手１２の開口部１２Ｋに指を入れて取っ手１２の握り部１２Ｎを握ることによりアイロン台を片手で容易に移動させることができるようにしている。前記取っ手１２をアイロン置き台９に取り付けることにより、アイロン置き台９を台本体３よりも側方に突出位置した使用位置と台本体３の裏面にほぼ引退した収納位置とに握りやすい取っ手１２を握って容易にスライド移動させることができる利点がある。尚、前記取っ手１２は、アイロン台の外周縁に対して連続しない小型のものでもよく、取っ手１２の形状及び大きさは自由に変更することができる。
【００１８】
図１〜図４に示すように、前記一対の脚体７，８は、金属製の角パイプからなる脚本体７Ａ，８Ａの下端に、アイロン台の横幅方向に延びると共に両端側ほど下方に位置する円弧形状に屈曲した金属製の丸パイプからなる接地部７Ｂ，８Ｂを溶接してなり、一方の脚体７の上端に溶接した軸体１３を、前記台本体３の補強部材６，６に貫設することにより、一方の脚体７の上端を台本体３に枢支すると共に、それら一対の脚体７，８の長手方向中間部同士をピン１４を介して枢支連結している。従って、一方の脚体７を軸体１３の軸芯周りで揺動させることによって、図４で示す側面視においてほぼＸ字状に広がった使用姿勢と、図３に示す台本体３の裏面に接近した折り畳み姿勢（収納姿勢）とに姿勢変更自在に構成している。尚、前記他方の脚体８の上端に前記補強部材６，６の内側の縦壁部間よりも長い寸法に構成された軸体１５を溶接してあり、補強部材６，６の内側の縦壁部の下面を軸体１５にて接当支持することができるようにしている。前記接地部７Ｂ，８Ｂの両端には、合成樹脂や合成ゴムでなるキャップ７Ｃ，８Ｃが外嵌されているが、無くてもよい。
又、図１（ａ），（ｂ）及び図３に示すように、前記一対の脚体７，８の折り畳み姿勢において台本体３の裏面のうちの前記取っ手１２のスライド方向両端に該一対の脚体７，８の接地部７Ｂ，８Ｂがそれぞれ位置する状態となり、取っ手側に位置する接地部８の全部（一部でもよい）が前記台本体３の裏面側に形成された凹部１６内に入り込むように該接地部８を構成し、前記取っ手側とは反対側に位置する接地部７の一部（全部でもよい）が台本体３の衣類載置面から外れた側方に突出位置して台本体３をそれの衣類載置面方向が上下方向となる縦向きにしたときに、床面に接地するように該接地部７を構成している。従って、一対の脚体７，８を折り畳み姿勢にした状態において、図１（ａ），（ｂ）及び図３に示すように、一方の脚体８が邪魔になることがないように凹部１６内に入り込ませることができながらも、図１（ａ），（ｂ）に示すように、アイロン台を一方の脚体７にて縦向き（アイロン台の長手方向（衣類載置面方向）が上下方向となる向き）で床面に支持した状態にすることができるようにしている。
【００１９】
前記折り畳み姿勢の支持脚の使用姿勢への姿勢変更を、前記収納位置に移動したアイロン置き台９が支持脚を構成する一方の脚体８の接地部８Ｂに接当することにより阻止することができるように構成されている。つまり、支持脚を折り畳み姿勢に姿勢変更した後、アイロン置き台９を収納姿勢に姿勢変更させることにより、アイロン置き台９にて折り畳み姿勢の支持脚の使用姿勢への姿勢変更を接当阻止することができるようになっている。ここでは、一方の脚体８の接地部８Ｂに収納位置に位置したアイロン置き台９が接当することにより、両脚体７，８の使用姿勢への姿勢変更を阻止する場合を示しているが、構成が大掛かりになる不利はあるけれども、両脚体７，８に収納位置に位置したアイロン置き台９が接当するように構成したり、他方の脚体８を別の阻止部材にて確実に使用姿勢への姿勢変更阻止を行えるようにしてもよい。
【００２０】
前記アイロン置き台９を収納位置にて固定するための解除自在な固定手段１７を設けてあり、この固定手段１７は、図１（ａ），（ｂ）、図３及び図５に示すように、取っ手１２にコイルスプリング１８により下方に突出付勢された状態で設けられたピン型の突起部１９と、この突起部１９に係止する係止孔２０Ａが形成され、かつ、前記支持部材１０の下面にビス止めされた板状の部材２０とからなっている。従って、使用位置のアイロン置き台９を収納位置に移動させることにより、突起部１９が部材２０に押されて取っ手１２内へ引退し、係止孔２０Ａへ突起部１９が位置することにより、突起部１９が突出して係止孔２０Ａに係止して固定される。前記固定を解除する場合には、突起部１９を指にて押し込んでから取っ手１２を引っ張り操作することにより、解除状態となり、アイロン置き台９を使用位置まで移動させることができる。前記固定手段１７は、図に示すもの以外の他の構成であってもよい。又、場合によっては、固定手段１７を省略して実施することもできる。
【００２１】
図６及び図７に示すアイロン台は、立ち姿勢でアイロン掛けを行うことができる大型のものを示している。図６では、アイロン置き台９の左右一対の抜け止め部９Ｃ，９Ｃを補強部材６，６を構成する縦（上下）板部にアイロン台の長手方向に沿って形成された長孔（図示せず）に貫通させてあり、取っ手１２を引っ張り操作してアイロン置き台９を、図６の実線で示す収納位置から２点鎖線で示す使用位置まで長孔にて移動案内することができるようにしている。そして、前記補強部材６，６がアイロン置き台９の支持部材を兼用構成している。図６に示す２１は、アイロン置き台９を収納位置にて固定するために抜け止め部９Ｃ，９Ｃに係止されるロック部材である。又、２３は、脚体７，８を収納姿勢にて固定するためのロック具を解除操作するための操作レバーである。
又、図７では、図６で示したアイロン台に取り付けたアイロン置き台９の形状及び支持構造を変更している。つまり、アイロン置き台９をアイロン台幅方向両側にほぼＵ字状のアイロン受け部９Ａ，９Ａを備えた形状からなり、このアイロン置き台９の取っ手１２側部分に溶接されると共に環状フレーム（図示せず）に取り付けられた左右一対のブラケット２２，２２にスライド移動自在に支持された外枠体９Ｓを設けて、取っ手１２を引っ張り操作してアイロン置き台９を、図７の実線で示す収納位置から２点鎖線で示す使用位置までブラケット２２，２２にて移動案内することができるようにしている。そして、図７に示す２１が、前記アイロン受け部９Ａ，９Ａの端部に係止してアイロン置き台９を収納位置で固定するためのロック部材である。
【００２２】
図８では、４本（場合によっては３本でもよい）の脚体７，７，８，８を備えたアイロン台を示している。図８では、脚体７，７，８，８を金属製の棒状体を折り曲げたものを使用しているが、角（丸でもよい）筒状のものであってもよいし、合成樹脂製のものであってもよい。又、図８では、金属製で板状の部材２２の左右２箇所をプレス成形して取付部を突出形成し、それら取付部２２Ａ，２２Ａに前記脚体７，７又は８，８を取り付けているが、他の取り付け方法であってもよい。そして、アイロン置き台９は、一対の補強部材６，６に直接又は図１で示した棒状部材１１を介して取り付けた支持部材１０にスライド移動自在に支持されているが、他の支持構造であってもよい。他の構成は、図１と同一である。このように構成されたアイロン台のほぼ舟形状の本体部２を、図９に示すようにほぼ長方形状に形成することによって、図１〜図７で示しているようにアイロン台の台本体３をそれの衣類載置面方向が上下方向となる縦向きでアイロン台を収納する場合に、台本体３の水平端面を床面に接地させて安定良く収納することができる利点がある。
【００２３】
【発明の効果】
請求項１の発明によれば、アイロン台を移動させる場合には、取っ手を片手で持つだけでどこへでも移動させることができ、アイロン台の移動にかかる時間を短縮させて、アイロン掛けを能率良く行うことができる。しかも、取っ手を持ってアイロン置き台をスライド方向に移動させることによって、アイロン置き台をアイロンを置くことができる使用位置とアイロン台を収納する場合に位置させる格納位置とに容易に位置変更させることができる。
【００２４】
請求項２又は３の発明によれば、取っ手側とは反対側に位置する接地部にて床面を接地支持することができるから、台本体をそれの表面（面）方向が上下方向となる縦向きで収納する場合に台本体の外周縁が床面に接触して汚れてしまうなどのトラブル発生がなく、収納においても有利になる。
【００２５】
請求項４の発明によれば、折り畳み姿勢の支持脚の使用姿勢への姿勢変更を収納位置に移動したアイロン置き台にて接当阻止可能にアイロン置き台を配置することによって、アイロン置き台を収納位置に移動させるだけで支持脚を折り畳み姿勢に固定することができ、特別なロック具を不要にすることができるだけでなく、それをロック操作することも不要になり、コスト面及び使用面のいずれにおいても有利になる。
【００２６】
請求項５の発明によれば、台本体の補強を目的として本来的に備えさせる一対の補強部材を支持部材を取り付けるための取付部材として利用することによって、部品点数の削減化を図ることができ、コスト面において有利になる。
【００２７】
請求項６の発明によれば、アイロン置き台を収納位置にて固定するための固定解除自在な固定手段を設けることによって、アイロン置き台を収納位置に確実に固定した状態で移動させることができ、信頼性の高いアイロン台を提供することができる。
【００２８】
請求項７の発明によれば、取っ手側に位置する一方の脚体の接地部の一部又は全部が台本体の凹部内に入り込むことによって、取っ手を持ってアイロン台を移動させているときに該脚体の接地部が他物に接当することを抑制することができ、損傷などのトラブル発生がない。
【図面の簡単な説明】
【図１】（ａ）は支持脚を折り畳み状態にしたアイロン台を縦向きに姿勢変更した背面図であり、（ｂ）は（ａ）のアイロン台の取っ手を上方にスライドさせた状態を示している。
【図２】使用状態のアイロン台の斜視図である。
【図３】支持脚を折り畳み状態にしたアイロン台の縦断側面図である。
【図４】使用状態のアイロン台の側面図である。
【図５】取っ手の取付構造を示す要部の分解斜視図である。
【図６】支持脚を折り畳み状態にした別のアイロン台を縦向きに姿勢変更した背面図である。
【図７】図６で示したアイロン台に取り付けられるアイロン置き台の形状を変更したアイロン台の背面図である。
【図８】支持脚を折り畳み状態にした別のアイロン台を縦向きに姿勢変更した背面図である。
【図９】図８で示したアイロン台の台本体の形状を変更した別のアイロン台の背面図である。
【符号の説明】
１  環状フレーム      ２  本体部
３  台本体            ４  クッション材
５  布カバー          ６  補強部材
７，８  脚体          ７Ａ，８Ａ  脚本体
７Ｂ，８Ｂ  接地部    ７Ｃ，８Ｃ  キャップ
９  アイロン置き台    ９Ａ  アイロン受け部
９Ｂ  移動阻止部材    ９Ｃ  抜け止め部
１０  支持部材        １１  棒状部材
１２  取っ手          １２Ｋ  開口部
１２Ｎ  握り部        １３  軸体
１４  ピン            １５  軸体
１６  凹部            １７  固定手段
１８  コイルスプリング
１９  突起部          ２０Ａ  係止孔
２０  部材            １１Ｂ  縦部
１１Ａ  水平脚部      １１Ｃ  水平部
１１Ｄ  折れ曲がり部  ２１  ロック部材
２２  部材            ２２Ａ  取付部
２３  操作レバー      Ｒ  アイロン
【図１】
2005034217.tif 000003
【図２】
2005034217.tif 000004
【図３】
2005034217.tif 000005
【図４】
2005034217.tif 000006
【図５】
2005034217.tif 000007
【図６】
2005034217.tif 000008
【図７】
2005034217.tif 000009
【図８】
2005034217.tif 000010
【図９】
2005034217.tif 000011